(57)【要約】【課題】ろ過板のろ過面にノズル管の周回軌跡を近似させ、脱水運転中に任意にろ過板のろ過面全体が洗浄できる連続加圧脱水機を提供する。【解決手段】ろ過室（５）を形成するろ過板（２）の前後に回転環（２２）と従動回転環（２３）を回動自在に配設し、回転環（２２）と従動回転環（２３）に止着した複数のノズル管（２１…）をろ過板（２）のろ過面に対設させると共に、ノズル管（２１…）の他端をろ室外環（３）の外周面に沿って配設した洗浄水管（２０）に連結して、ろ過板（２）の前後のノズル管（２１…）をろ過板（２）のろ過面に沿って揺動自在としたもので、ノズル管を駆動軸と同芯軸状に公転させながらろ過板（２）のろ過面に沿ってノズル管（２１…）を移動させるので、それぞれのノズル管（２１…）から噴射する洗浄水をろ過板（２）の所定範囲に吹付けて、ろ過板（２）の全体が再生できる。そして、脱水運転中に任意に目詰まりしたろ過板（２）の洗浄が行なえる。【選択図】      図３
2004237229.tif 000002
【特許請求の範囲】
【請求項１】
ろ過面を有する一対の円盤状のろ過板（２、２）と環状のろ室外環（３）とでろ過室（５）を形成し、このろ過室（５）に回転自在な羽根車（１４）を配設して、ろ過室（５）の内周端から原液を供給し、ろ過室（５）の外周端からケーキを取出す加圧脱水機（１）において、ろ過板（２）の前後に回転環（２２）と従動回転環（２３）を回転自在に配列し、回転環（２２）と従動回転環（２３）に止着した複数のノズル管（２１…）をろ過板（２）のろ過面に対設させると共に、ノズル管（２１）の他端をろ室外環（３）の外周面に沿って配設した洗浄水管（２０）に連結して、ろ過板（２）の前後のノズル管（２１）を揺動自在としたことを特徴とする連続加圧脱水機の洗浄装置。
【請求項２】
上記ろ過板（２）の前後に連結したろ過板スペーサー（６、７）に回転環（２２）と従動回転環（２３）を回動可能に支架し、後方のろ過板スペーサー（７）を連結したフレーム（１１）に洗浄駆動機（３０）を配設し、洗浄駆動機（３０）を回転環（２２）に連動連結したことを特徴とする請求項１に記載の連続加圧脱水機の洗浄装置。
【請求項３】
上記フレーム（１１）に近接スイッチ（３３）を配設し、回転環（２２）の周部に一対の検出板（３４、３４）を止着して、検出板（３４）の回動軌跡に近接スイッチ（３３）を対設したことを特徴とする請求項１及び２に記載の連続加圧脱水機の洗浄装置。
【発明の詳細な説明】
【０００１】
【発明の属する技術分野】
この発明は、産業排水汚泥、下水汚泥などの原液を円環状のろ過室に圧入し、羽根車と原液を供回りさせながら、ろ過板からろ液を排出して濃縮脱水する連続加圧脱水機に関し、詳しくは、連続加圧脱水機の洗浄装置の改良に関する。
【０００２】
【従来の技術】
従来、円盤状のろ過板とろ室外環とでろ過室を形成し、このろ過室に回転自在な羽根車を配設して、ろ過室の中心部から圧入した原液を羽根車で供回りさせながら、ろ過面に積層するケーキと原液との間にせん断摩擦抵抗力を発生させて脱水し、羽根車でろ過面のケーキを掻取りながらろ室外環の排出口からケーキを取出す連続加圧脱水機は、特許文献１でこの発明の出願人が提案している。また、この連続加圧脱水機に、ろ過板に対設した洗浄ノズルを回転自在な洗浄水管に連結し、洗浄ノズルをろ過板の外周面上を揺動させる洗浄装置も、特許文献１で提案している。
【０００３】
【特許文献１】
ＷＯ００／１６９７０号公報、（発明の詳細な説明の欄、第４頁の下から６行目乃至２行目、Ｆｉｇ１９）
【０００４】
【発明が解決しようとする課題】
従来の連続加圧脱水機は、ろ過室を多数並列すれば大容量処理が可能であり、広い設置スペースも必要とせず、ろ布などの消耗品も不用となる。従来の洗浄水管を回転させながらろ過板のろ過面を洗浄する装置は、ろ過脱水を行ないながらろ過板の再生が行なえるものであるが、洗浄ノズルをろ過板の外周面上を往復動させても、ろ過板のろ過面と洗浄ノズルの周回軌跡が異なるため、駆動軸の下方のろ過板を洗浄することは困難であった。この発明は、ろ過板のろ過面と洗浄管の周回軌跡を近似させ、ろ過面全体が洗浄できて、連続運転を可能とする連続加圧脱水機を提供する。
【０００５】
【課題を解決するための手段】
この発明の要旨は、ろ過面を有する一対の円盤状のろ過板と環状のろ室外環とでろ過室を形成し、このろ過室に回転自在な羽根車を配設して、ろ過室の内周端から原液を供給し、ろ過室の外周端からケーキを取出す加圧脱水機において、ろ過板の前後に回転環と従動回転環を回転自在に配列し、回転環と従動回転環に止着した複数のノズル管をろ過板のろ過面に対設させると共に、ノズル管の他端をろ室外環の外周面に沿って配設した洗浄水管に連結して、ろ過板の前後のノズル管を揺動自在としたもので、ろ過板のろ過面に沿って洗浄ノズルが回動し、ろ過板のろ過面全体を洗浄することができる。
【０００６】
洗浄装置の回動手段が、ろ過板の前後に連結したろ過板スペーサーに回転環と従動回転環を回動可能に支架し、後方のろ過板スペーサーを連結したフレームに洗浄駆動機を配設し、洗浄駆動機を回転環に連動連結したもので、回転環に伝達した動力が従動回転環を供回りさせて、ノズル管を駆動軸と同芯軸状に公転させることができる。回転環と従動回転環の軸受は、負荷が掛らないので潤滑性の樹脂材でよく、グリースや潤滑油の補給を必要としない。そして、フレームに近接スイッチを配設し、回転環の周部に一対の検出板を止着して、検出板の回動軌跡に近接スイッチを対設したもので、回転環と従動回転環を正逆転させながら、それぞれのノズル管から噴射する洗浄水をろ過板の所定範囲に吹付けて、ろ過板のろ過面全体が再生できる。
【０００７】
【発明の実施の形態】
この発明に係る装置は上記のように構成してあり、原液をろ過室に圧入しながら羽根車を回転させると、ろ過板と原液との間に発生する摩擦抵抗と、ろ過面に積層するケーキと原液との間にせん断摩擦抵抗力を発生させて脱水し、ろ過板のろ過面にケーキ層が徐々に形成される。羽根車の羽根がろ過板のろ過面に摺接しながら回転し、目詰まりせんとする薄いケーキ層を掻取り、ケーキを搬送しながらろ過板のろ過面を再生する。羽根車で掻取られたケーキはろ過室の外周部に送られて、やがて、ろ液を分離したケーキは流動性を失い、羽根車と一緒に回転するケーキが徐々にろ過室から排出される。
【０００８】
ろ過板が目詰まりして、ろ過性が悪くなった時には、洗浄駆動機を駆動して回転環を回転させて、ノズル管と洗浄水管で連結した従動回転環も回転させる。ノズル管に連結した洗浄水管が、ろ過室のろ室外環に沿って回動し、ノズル管がろ過板のろ過面に沿って所定角度を公転しながら揺動する。ノズル管から噴出される洗浄水が、ろ過室の外側から逆洗してろ過板のろ過面を再生する。ろ過運転終了時には、ノズル管から噴射する洗浄水でろ過板に付着したろ滓を洗い流して加圧脱水機を停止する。脱水運転を行いながら、任意にろ過板洗浄が可能であり、目詰まり性の早い原液には、特に有効である。
【０００９】
【実施例】
この発明に係る連続加圧脱水機を図面に基づき詳述すると、図１は加圧脱水機の縦断面図であって、加圧脱水機１は金属ろ材を張設した一対の円板状のろ過板２、２に、その外周端に環状のろ室外環３と、内周端に内環支持筒４が連結してあり、一対のろ過板２、２の間に円環状のろ過室５が形成してある。内環支持筒４の前後にろ過板スペーサー６、７が連結してあり、内環支持筒４の内部に給液室８が形成してある。原液の供給管９が前方のろ過板スペーサー６に支架されて給液室８に開口してあり、供給管９から供給した原液を給液室８に圧入し、給液室８から円周方向のろ過室５に流入させる。ろ過室５に圧入された原液は、ろ過板２のろ過面からろ液を分離して、ろ過板２のろ過面にケーキ層を形成する。
【００１０】
図１に示すように、加圧脱水機１は、後方のろ過板スペーサー７の取付座１０をフレーム１１に連結して支架させてある。フレーム１１側のろ過板スペーサー７の軸受１２に軸支した駆動軸１３が、給液室８に延設してあり、ろ過室５に配設した羽根車１４の基端部が止着してある。駆動軸１３の後端が、フレーム１１に支架した羽根車駆動機１５に連動連結してある。なお、符号１６はろ過板２のろ過面を補強するろ材枠である。図２は加圧脱水機１のろ過室５の縦断面図であって、羽根車１４の側縁と先端をろ過板２とろ室外環３に接近させてある。この発明の実施例では、羽根車１４の羽根１４ａが、４個の直片を折り曲げて湾曲線に近似させ、回転方向後方に後退させた羽根車１４としてある。図１に示す、羽根車駆動機１５を駆動して、羽根車１４の羽根１４ａをろ過板２のろ過面に摺接させて、ろ過面に形成した薄いケーキ層を掻取り、ケーキを搬送しながらろ過板２のろ過面を再生する。
【００１１】
図２に示すように、ろ過室５のろ室外環３の周面にケーキ排出口１７が設けてあり、ケーキ排出口１７にエアーシリンダー１８で開閉させるフラップ弁１９が配設してある。フラップ弁１９でケーキ排出口１７の開度を調整して、ろ過室５における原液に対する加圧力を発生させる。羽根車１４の羽根１４ａで掻き取られたケーキはろ過室５の外周部に送られる。ケーキの含水率が低下するろ室外環３の近傍の羽根１４ａが、回転クサビ作用力とケーキを半径方向に移動させる力を増大させて、ケーキに大きなせん断力を与えて、更に脱水する。羽根車１４と一緒に回転するケーキをろ過室５のケーキ排出口１７から排出させる。
【００１２】
図３は洗浄装置を配設した加圧脱水機１であって、ろ過室５のろ室外環３に沿って洗浄管２０が配設してあり、洗浄管２０に直交して連結したノズル管２１がろ過板２のろ過面に対設してある。図４は洗浄装置の側面図であって、この発明の実施例では、ろ室外環３に沿って配設した２本の洗浄管２０、２０が、ろ過板２の外周縁に沿って円管状に形成した両端の円管部２０ａに連結してある。洗浄管２０の円管部２０ａから等間隔に分岐させた３本のノズル管２１…が、駆動軸１３の軸芯に向って放射状に延設してある。図１及び図３に示すように、フレーム１１側のろ過板スペーサー７の外周面に回転環２２と給液管９側のろ過板スペーサー６に従動回転環２３が、駆動軸１３の軸芯と同芯状に配設してある。
【００１３】
図５は回転環２２の縦断面図であって、回転環２２にはその内周端にろ過板スペーサー７の外周面に摺接させる円環状の軸受部２２ａが設けてあり、回転環２２の円板部２２ｂにノズル管２１が固定金具２４で止着してある。図６は従動回転環２３の縦断面図であって、回転環２２と同様に、従動回転環２３にも内周端にろ過板スペーサー６の外周面に摺接させる円環状の軸受部２３ａが設けてあり、従動回転環２３の円板部２３ｂにノズル管２１が固定金具２５で止着してある。回転環２２と従動回転環２３の軸受部２２ａ、２３ａは負荷が掛らないので潤滑性のある樹脂材でよく、グリースや潤滑油の補給を必要としない。
【００１４】
図７は洗浄装置を配設した加圧脱水機１の側面図であって、給液管９側のノズル管２１の端部に可撓性の洗浄ホース２６が連結してあり、洗浄ホース２６の他端がフレーム１１の側板１１ａに支架されて、機外の洗浄水源に接続してある。洗浄ホース２６から供給した洗浄水は、給液管９側のノズル管２１から洗浄水管２０を経由して、フレーム１１側のノズル管２１に供給する。前後のノズル管２１、２１からろ過板２に洗浄水を噴射して、ろ過室５の外側から逆洗してろ過板２のろ過面を再生する。なお、この発明の実施例では、１本の洗浄ホース２６をノズル管２１、２１に連結してあるが、洗浄ホース２６を洗浄水管２０に連結してもよく、加圧脱水機１の大きさにより、洗浄ホース２６の本数を増減させてもよいものである。
【００１５】
図８は洗浄装置を回動させる回転環２２の正面図であって、回転環２２の外周端の円環部２２ｃにローラーチエーン２７が巻き掛けてあり、ローラーチエーン２７の両端部に連結したエンドボルト２８、２８が回転環２２に止着した取付座２９に固定してある。図３に示すように、ろ過板スペーサー７を支架するフレーム１１に洗浄駆動機３０が配設してあり、洗浄駆動機３０に嵌着した駆動スプロケット３１が回転環２２に巻き掛けたローラーチエーン２７に噛合せてある。洗浄駆動機３０から回転環２２に伝達した回転力が、従動回転環２３を供回りさせる。洗浄水管２０をろ過室５のろ室外環３の外周面に沿って揺動させてノズル管２１を駆動軸１３の同芯軸状に公転させる。脱水運転中に、任意にろ過板２のろ過面の近傍を回動させて、ろ過板２の洗浄が行なえる。
【００１６】
図９はノズル管の回動位置の検知装置であって、フレーム１１に配設した取付座３２に近接スイッチ３３が支架してあり、回転環２２の周部に一対の検出板３４、３４が止着してある。近接スイッチ３３は検出板３４の回動軌跡に沿って対設してあり、一対の検出板３４、３４の位置は、ろ過板２の中心軸芯からの角度を９０°としてある。回転環２２を回転させた時に、回動してきた検出板３４を近接スイッチ３３が検知して、洗浄駆動機３０の回転駆動を逆転させる。回転環２２と従動回転環２３の回転を正逆転させて、３本のノズル管２１…をろ過板２のろ過面に沿って９０°の角度で揺動させる。それぞれのノズル管２１から噴射する洗浄水をろ過板２のろ過面の所定範囲に吹付けて、噴射する洗浄水でろ過板２の全面が洗浄できる。
【００１７】
【発明の効果】
この発明の連続加圧脱水機は上記のように構成してあり、ろ過板のろ過面にノズル管の周回軌跡を近似させ、ろ過面全体が洗浄できて、連続運転が可能となるものである。即ち、従来の洗浄水管を回転させてろ過板のろ過面を洗浄する装置は、洗浄ノズルをろ過板の上半部のろ過面上を往復動させても、ろ過板のろ過面と洗浄ノズルの周回軌跡が異なるため、ろ過板全体を均一に洗浄することは困難であった。この発明にあっては、ろ過室を形成するろ過板の前後に回転環と従動回転環を回動自在に配設し、回転環と従動回転環に支架した複数のノズル管をろ過板のろ過面に沿って揺動自在としたので、ろ過板のろ過面に沿ってノズル管が移動して、ろ板のろ過面全体の洗浄が可能となる。そして、脱水運転中に任意に目詰まりしたろ過板の洗浄が行なえる。
【００１８】
洗浄装置の回動手段が、ろ過室を支架する前後のろ過板スペーサーに回転環と従動回転環を回動可能に配設し、フレームに支架した洗浄駆動機を回転環に連動させたので、回転環に伝達した回転力が、従動回転環を供回りさせて、ノズル管を駆動軸と同芯軸状に公転させることができる。回転環と従動回転環の軸受部は負荷が掛らないので潤滑性の樹脂材でよくグリースや潤滑油の補給を必要としない。そして、回転環に止着した一対の検出板の回動軌跡に近接スイッチを対設したので、回転環と従動回転環を正逆転させながら、それぞれのノズル管から噴射する洗浄水を、ろ過板の所定範囲のろ過面に吹付けて、ろ過板のろ過面全体が再生できる。
【図面の簡単な説明】
【図１】この発明に係る加圧脱水機の要部縦断面図である。
【図２】同じく、加圧脱水機の縦断面図である。
【図３】同じく、洗浄装置を配設した加圧脱水機の一部縦断面図である。
【図４】同じく、洗浄装置の側面図である。
【図５】同じく、ノズル管を支架した回転環の縦断面図である。
【図６】同じく、ノズル管を支架した従動回転環の縦断面図である。
【図７】同じく、洗浄装置を配設した加圧脱水機の側面図である。
【図８】同じく、洗浄装置を回動させる回転環の正面図である。
【図９】同じく、ノズル管の回動位置の検知装置の側面図である。
【符号の説明】
１  加圧脱水機
２  ろ過板
３  ろ室外環
５  ろ過室
６、７  ろ過板スペーサー
１１  フレーム
１４  羽根車
２０  洗浄水管
２１  ノズル管
２２  回転環
２３  従動回転環
３０  洗浄駆動機
３３  近接スイッチ
３４  検出板
【図１】
2004237229.tif 000003
【図２】
2004237229.tif 000004
【図３】
2004237229.tif 000005
【図４】
2004237229.tif 000006
【図５】
2004237229.tif 000007
【図６】
2004237229.tif 000008
【図７】
2004237229.tif 000009
【図８】
2004237229.tif 000010
【図９】
2004237229.tif 000011